(57)【要約】【課題】背後に壁や塀等がなくても使用可能で、その拘束径を、被拘束者の体型又は拘束部位に応じて、自由に変更可能なものとすること。【解決手段】長尺角筒型の把持棒１と、その先端に支持材２を介して配した部分円弧状の一対の抱え片３、３と、把持棒１の先端から進退自在に挿入した作動棒４と、その先端両側と抱え片３、３の途中との間に各々介在させた作動片５、５と、把持棒１及び作動棒４に構成した仮固定手段６とからなる。この仮固定手段６は、作動棒４の最進出状態の一定位置でその進退動作を仮固定可能で、最進出状態の一定位置から最後退状態の一定位置までの間の複数箇所では後退は自由でありつつ進出を仮固定することが可能で、各位置での仮固定を自由に解除可能とする。【選択図】  図１
0003118735.tif 000002
【実用新案登録請求の範囲】
【請求項１】
角筒状の把持棒の先端にこれと直交する支持材を配し、該支持材の両端に各々部分円弧状の抱え片の後端を回動自在に結合し、他方、前記把持棒に先端から角筒状の作動棒を進退自在に挿入し、該作動棒の先端両側に各々作動片を回動自在に接続し、かつ該各作動片の先端を各々前記抱え片の途中に回動自在に結合し、
更に前記作動棒及び前記把持棒に、該作動棒の最進出状態の一定位置でその進退動作を仮固定することができ、かつ該最進出状態の一定位置から最後退状態の一定位置までの間の複数箇所で後退は自由でありつつ進出を仮固定することができるとともに、各位置での仮固定を自由に解除することができる仮固定手段を備えた刺股。
【請求項２】
前記仮固定手段を、
前記作動棒の周側の後端付近に開口した仮固定穴と、
周側の該仮固定穴からそれより前端側の一定位置までの間に定間隔で配した該仮固定穴より長さの短い複数の短寸仮固定穴と、
前記把持棒の周側の手元側に開口した仮固定穴と同寸法の導入穴と、
該把持棒の周側外に配置する固定部材であって、該導入穴を通じてこれに一致する位置に位置することとなった仮固定穴に嵌合し得る全固定部、及び該全固定部の内面に位置し、該導入穴を通じてこれに一致する位置に位置することとなった短寸仮固定穴にその後端側で係合する段差部並びに該段差部の最高位置から前端側に向かって下降傾斜する摺動面からなる半固定部と、
該全固定部及び半固定部を該導入穴を通じてこれと一致することとなっている仮固定穴又は短寸仮固定穴に進退させる進退操作部と、
で構成した請求項１の刺股。
【請求項３】
前記進退操作部を、
前記全固定部の背面から延びる握り棒と、
該握り棒の途中を起伏回動自在に支持するブラケットであって、把持棒の周側に固設したブラケットと、
該握り棒の該ブラケットを挟んで前記全固定部と反対側の部位と該部位に対面する把持棒の周側との間に介在させた圧縮タイプのバネ部材と、
で構成した請求項２の刺股。
【考案の詳細な説明】
【技術分野】
【０００１】
本考案は、刃物等の武器を持って、或いは持たないで暴れまわる犯罪者等を取り押さえるための刺股に関し、特に犯罪者等との距離をとって自らの安全を確保しながら犯罪者等を確実に制圧することができる刺股に関するものである。
【背景技術】
【０００２】
刺股は、基本的には長尺の棒材の先端にＵ字形の制圧部材を取り付けた構造であり、暴れる犯罪者等を制圧する場合は、該長尺の棒材を握って該Ｕ字形の制圧部材を該犯罪者等の側に向け、該Ｕ字状の部位でその胴部や喉等を挟んで塀や壁等に押し付けるようにするものである。
【０００３】
しかしこのような、長尺の棒材の先端にＵ字形の制圧部材を取り付けたに止まる従来の刺股では、背後に壁等のないところでは、犯罪者等を制圧し難く、単なる長い棒を用いているのと同様の作用しか有し得ない可能性がある。そこでこのような問題に対処するために若干の提案がなされている。
【０００４】
その一つは、把持棒の先端に身体を捕捉する概ねＵ字形の湾曲アームを備えてなる刺股であって、前記湾曲アームの両先端部に、該湾曲アームの湾曲中心側にのみ屈曲自在でバネ機構により自動的に復帰可能な２本の可動アームを該湾曲アームの開放部が最短で閉鎖されるようにそれぞれ設けて、身体を収容して離脱できないように構成した刺股（特許文献１）の提案である。
【０００５】
この刺股によれば、その湾曲アームで犯罪者等の身体を拘束しようとして、該湾曲アーム先端開放部を閉じる可動アームを押し付けると、これが該湾曲アームの内側に回動して該部位を開くことになるため、これを要領よく用いれば、犯罪者等を該湾曲アーム内に入れることは比較的容易に行われ得るように思われる。しかし、犯罪者等は、このとき、逃亡のため、或いは反撃のために種々の暴力的動作を行うものであり、前記可動アームは、該犯罪者等の身体のいずれかの部位に邪魔される等により、容易に原位置に復帰できず、該犯罪者等の該湾曲アーム内での完全な拘束が容易にできない虞がある。
【０００６】
更にもう一つは、本体フレームと、該本体フレームの手前側に取り付けられた長竿と、該本体フレームの先端側に該長竿の延長線に沿って摺動自在に取り付けられた摺動体と、各々根本部が該摺動体に回転自在に取り付けられた左半環状体及び右半環状体と、該摺動体の摺動運動に連動して該左半環状体及び該右半環状体の相対位置関係を変化させる連動機構とを備え、
該摺動体が先端側に位置するときには、該左半環状体及び該右半環状体の先端部の間を被捕縛者が自由に通れるような開放状態が形成され、
該摺動体が手前側に位置するときには、該左半環状体及び該右半環状体の先端部の間を被捕縛者が自由に通れないような閉鎖状態が形成され、かつこの状態がロック手段によってロックされるように構成した刺股型の捕物道具（特許文献２）の提案である。
【０００７】
この刺股型の捕物道具によれば、その先端の左半環状体及び右半環状体を開いた状態で、犯罪者等の被捕縛者に向け、両者の内側にその胴部又は首部等を入れた状態にしながら押し付けるようにすると、その摺動体が該被捕縛者の胴部又は首部等に当接し、これが後退して該左半環状体及び該右半環状体の先端側を閉じた状態に動作させる。
【０００８】
こうしてこの刺股型の捕物道具によれば、被捕縛者を比較的簡単に拘束できるが、該左半環状体及び右半環状体によって形成される環体は、特定の閉鎖点でロックされ、その径を自由に設定することができない。それ故、被捕縛者の体型によっては、拘束が緩過ぎたり、きつくなり過ぎたりする可能性もある。特に胴部を拘束することを前提として径を設定すると、首部の拘束には適しない物となり、臨機応変の使用に耐えない虞のある物となる。
【０００９】
またこの刺股型の捕物道具は、その構成が若干複雑である問題もある。
【００１０】
【特許文献１】実用新案登録第３０８５８２４号公報
【特許文献２】特開２０００−２３０８００号公報
【考案の開示】
【考案が解決しようとする課題】
【００１１】
本考案は、以上に述べた従来技術の問題点を解決し、犯罪者等の拘束対象の背後に壁や塀等がなくても使用可能であり、かつその先端部の構成で、容易かつ確実に拘束可能であり、更にその後側部の径が、被拘束者の体型に応じて、或いは拘束部位に応じて、自由に変更可能なものとなる刺股を提供することを解決の課題とする。
【課題を解決するための手段】
【００１２】
本考案の１は、角筒状の把持棒の先端にこれと直交する支持材を配し、該支持材の両端に各々部分円弧状の抱え片の後端を回動自在に結合し、他方、前記把持棒に先端から角筒状の作動棒を進退自在に挿入し、該作動棒の先端両側に各々作動片を回動自在に接続し、かつ該各作動片の先端を各々前記抱え片の途中に回動自在に結合し、
更に前記作動棒及び前記把持棒に、該作動棒の最進出状態の一定位置でその進退動作を仮固定することができ、かつ該最進出状態の一定位置から最後退状態の一定位置までの間の複数箇所で後退は自由でありつつ進出を仮固定することができるとともに、各位置での仮固定を自由に解除することができる仮固定手段を備えた刺股である。
【００１３】
本考案の２は、請求項１の刺股に於いて、前記仮固定手段を、前記作動棒の周側の後端付近に開口した仮固定穴と、周側の該仮固定穴からそれより前端側の一定位置までの間に定間隔で配した該仮固定穴より長さの短い複数の短寸仮固定穴と、前記把持棒の周側の手元側に開口した仮固定穴と同寸法の導入穴と、該把持棒の周側外に配置する固定部材であって、該導入穴を通じてこれに一致する位置に位置することとなった仮固定穴に嵌合し得る全固定部、及び該全固定部の内面に位置し、該導入穴を通じてこれに一致する位置に位置することとなった短寸仮固定穴にその後端側で係合する段差部並びに該段差部の最高位置から前端側に向かって下降傾斜する摺動面からなる半固定部と、該全固定部及び半固定部を該導入穴を通じてこれと一致することとなっている仮固定穴又は短寸仮固定穴に進退させる進退操作部と、で構成したものである。
【００１４】
本考案の３は、本考案の２の刺股に於いて、前記進退操作部を、前記全固定部の背面から延びる握り棒と、該握り棒の途中を起伏回動自在に支持するブラケットであって、把持棒の周側に固設したブラケットと、該握り棒の該ブラケットを挟んで前記全固定部と反対側の部位と該部位に対面する把持棒の周側との間に介在させた圧縮タイプのバネ部材と、で構成したものである。
【考案の効果】
【００１５】
本考案の１の刺股によれば、犯罪者等の拘束対象者の背後に壁や塀等がなくても使用可能であり、かつその先端部の一対の部分円弧状の抱え片は、拘束対象者の動きに拘わらず確実な拘束動作が可能であり、加えて拘束対象者の首や胴などの部位のサイズに応じて、或いは拘束対象者の体型に応じて、該一対の部分円弧状の抱え片によって形成される径を自由に変更可能であるため、適切な径でもって安全・確実に拘束対象者を拘束することが可能となる。また把持棒を角筒型としたことにより、円柱型と異なり、回転方向に確実に支持しやすくなったものでもある。
【００１６】
犯罪者等の拘束対象者を拘束する場合は、前記把持棒の先端の一対の抱え片を前記作動棒を最進出状態に進出させて開いた上で該拘束対象者に向ける。このとき、前記仮固定手段により作動棒の進退動作は不可能な状態になっている。この状態で素早く拘束対象者の胴部等を開いた一対の抱え片の間に入れ、その中心の作動棒先端を押し付け、この瞬間に該仮固定手段を操作してその後退を許容することにより、該作動棒を後退動作させ、前記一対の抱え片に拘束対象者に対する抱え動作をさせる。
【００１７】
前記作動棒の最進出状態で仮固定手段によりその進退が不可能に固定されていることにより、この刺股を拘束対象者に向かって突き出した際に、拘束対象者によって該作動棒が押し込まれて胴部等を抱える前に前記一対の抱え片が閉じられてしまうような問題が生じないようになっている。
【００１８】
最進出状態に於ける作動棒の進退不可能な状態は、これを仮固定手段を操作して解除し、若干後退させた後は、該作動棒の後退方向の移動は前記複数箇所のそれぞれを通過して最後退位置まで全く自由に行え、進出方向には、該複数箇所のいずれかを越えると、その各々を越えて移動することは不可能になる。従って前記一対の抱え片は、抱え締め付け方向にのみ動作が可能となる。また以上のように、前記複数箇所で作動棒の進出方向の移動を防止するようになっているため、対応する開き状態（径）で該一対の抱え片の抱え状態を固定することが可能であり、拘束対象者を適切な径で確実に抱え拘束することができることになる。
【００１９】
従って先に述べた効果を確実に達成できるものである。
【００２０】
本考案の２の刺股によれば、仮固定手段を確実に動作する簡易な構成で実現することができるものである
【００２１】
本考案の３の刺股によれば、仮固定手段を操作の容易なものに構成することができる。
【考案を実施するための最良の形態】
【００２２】
本考案を実施するための最良の形態を実施例に基づいて説明する。
【００２３】
この実施例の刺股は、図１に示すように、長尺の把持棒１と、該把持棒１の先端に支持材２を介して配した一対の抱え片３、３と、該把持棒１の先端から進退自在に挿入した作動棒４と、該作動棒４の先端両側と前記抱え片３、３の間に各々介在させた作動片５、５と、該把持棒１及び作動棒４に構成した仮固定手段６とで構成したものである。
【００２４】
前記把持棒１は、図４(b)に示すように、概ね断面正方形の角筒状で、先に述べ、図１に示したように、長尺の棒状部材である。その長さは、犯罪者等の拘束対象者から安全な距離を確保できる適当な寸法である。その太さは使用者が握るのに不都合がないものとする。
【００２５】
前記支持材２は、図４(a)、(b)に示すように、二枚の板材で構成したものであり、これらを、図１及び図４(b)に示すように、前記把持棒１の先端にこれと直交する向きに、かつこれを挟む状態に配して固設したものである。固設は、特に、図１及び図４(b)に示すように、該支持材２を構成する二枚の板材を該把持棒１の両側付近でボルト・ナット７で締め付けることによって行ったものである。なお該支持材２を構成する二枚の板材は、図４(b)に示すように、該把持棒１の両側部に対応する部位でその間を短縮し、左右方向へのずれが生じないようにしてある。なお上記短縮した部位の間隔は、図４(b)に示すように、上記ボルト・ナット７のボルトにパイプ状スペーサ７ａを外装し、これによってその間隔を保持できるようにしてある。
【００２６】
前記抱え片３、３は、図４(b)、(c)に示すように、断面四辺形の角筒状部材であり、図１に示すように、平面視で、部分円弧状をなし、かつ各々その内端（後端）を前記支持材２の両外端に回動自在にピン結合したものである。即ち、図４(b)に示すように、抱え片３、３の内端を、該支持材２の外端で、これを構成する二枚の板材の間に挿入し、該支持材２と同一平面内で回動自在となるように、ボルト・ナット８で結合したものである。
【００２７】
前記作動棒４は、図３(b)、図４(b)に示すように、概ね断面正方形の角筒状で、図１及び図２(a)、(b)、(c)に示すように、長尺の部材である。またこの作動棒４は、前記し、かつ図１に示すように、前記把持棒１にその先端から進退自在に挿入したものである。
【００２８】
前記作動片５、５は、前記のように、前記作動棒４の先端両側と前記抱え片３、３の間に各々介在させたものであり、図３(c)に示すように、概ね断面四辺形で、図１に示すように、平面視で部分円弧状に構成した角筒状部材である。
【００２９】
該作動片５、５は、その各内端を前記作動棒４の先端両側に保持棒９を介してピン結合する。即ち、図１及び図３(b)に示すように、該作動棒４の先端に保持棒９を、これに直交する向きで、かつ該作動棒４を貫通する態様で配し、その保持棒９の両外端に、該作動片５、５の内端をそれぞれピン結合するものである。
【００３０】
該保持棒９の該作動棒４の先端への固定は、図１及び図３(b)に示すように、ボルト・ナット１０、１０によって行う。また該保持棒９の各外端への作動片５、５の各内端のピン結合は、図１及び図３(b)に示すように、該保持棒９の各外端を作動片５、５の各内端で外装した上で、各々ボルト・ナット１１で回動自在になるように行う。回動面は、云うまでもなく、また図１に示すように、前記抱え片３、３の回動する平面と同一平面内である。
【００３１】
また前記作動片５、５の外端は、図１に示すように、前記一対の抱え片３、３の途中、より詳細には、その内外端の中間点より若干外端寄りの部位に回動自在にピン結合する。即ち、図３(b)に示すように、各抱え片３、３の周側壁の内、該当する部位の内周側の一部を切り欠いてその中に該各作動片５、５の各対応する外端を挿入し、該部位でボルト・ナット１２により回動自在に結合する。
【００３２】
こうして、前記作動棒４を前記把持棒１から進出させると、図１中に点鎖線で示すように、一対の抱え片３、３の外端側が開く状態となり、該作動棒４を後退させると、該抱え片３、３の先端側が閉じる状態となる。
【００３３】
前記仮固定手段６は、図２(a)、(b)、(c)に示すように、前記作動棒４の周側一面の後端付近に開口した仮固定穴４ａと、周側一面の該仮固定穴４ａからそれより前端側の一定位置までの間に定間隔で配した該仮固定穴４ａより長さの短い複数の短寸仮固定穴４ｂ、４ｂ…と、前記把持棒１の対応する周側一面の手元側に開口した該仮固定穴４ａと同寸法の導入穴１ａと、該把持棒１の周側外に配置する固定部材１３であって、該導入穴１ａを通じてこれに一致する位置に位置することとなった前記仮固定穴４ａに嵌合し得る寸法形状の全固定部１３ａ、及び該全固定部１３ａの内面に位置し、該導入穴１ａを通じてこれに一致する位置に位置することとなったいずれかの短寸仮固定穴４ｂにその後端側で係合する段差部１３ｂ１並びに該段差部１３ｂ１の最高位置から前端側に向かって下降傾斜する摺動面１３ｂ２からなる半固定部１３ｂと、該全固定部１３ａ及び半固定部１３ｂを該導入穴１ａを通じてこれと一致することとなっている仮固定穴４ａ又は短寸仮固定穴４ｂに進退させる進退操作部１４とで構成したものである。
【００３４】
前記作動棒４の周側一面の仮固定穴４ａからそれより前端側の一定位置は、該作動棒４を最後退状態、即ち、図１中の実線で示された作動棒４を更に若干後退させた状態で、前記把持棒１の導入穴１ａに対応する部位である。この部位に最も前端側の短寸仮固定穴４ｂを開口し、これと前記仮固定穴４ａとの間に定間隔で短寸仮固定穴４ｂを開口するものとする訳である。
【００３５】
また前記進退操作部１４は、図２(a)、(c)に示すように、前記固定部材１３の全固定部１３ａの背面から延びる握り棒１４ａと、該握り棒１４ａの途中を起伏回動自在に支持するブラケット１５であって、把持棒１の周側に固設したブラケット１５と、該握り棒１４ａの該ブラケット１５を挟んで前記全固定部１３ａと反対側の部位と該部位に対面する把持棒１の周側との間に介在させた圧縮タイプのバネ部材１６と、で構成したものである。
【００３６】
前記握り棒１４ａは、図２(a)、(c)に示すように、前記ブラケット１５に起伏回動自在に支持される部位で僅かに曲がったくの字状に構成したものであり、前記固定部材１３と一体に構成する。
【００３７】
前記ブラケット１５は、図２(a)、(c)に示すように、前記把持棒１の該当する周側部にビス１７、１７によって固設する。
【００３８】
前記バネ部材１６は、この目的を達成できる種々のそれを採用することができるが、この実施例では、くの字状の折り曲げた板バネを採用し、これを前記位置に配し、その一端側を前記握り棒１４ａの後端内側にビス１８、１８で固設し、他端側を前記把持棒１の周側の対応する部位に、同様に、ビス１９、１９で固設したものである。
【００３９】
なお以上の各構成要素の内、前記バネ部材１６は、バネ鋼を採用し、他の構成要素はいずれも必要な強度を持った金属で構成するものとする。
【００４０】
従ってこの実施例の刺股によれば、犯罪者等の拘束対象者の背後に壁や塀等がなくてもこれらを拘束するために使用可能であり、かつその先端部の一対の部分円弧状の抱え片３、３は、拘束対象者の動きに拘わらず確実な拘束動作をすることが可能であり、加えて拘束対象者の首や胴などの部位のサイズに応じて、或いは拘束対象者の体型に応じて、該一対の部分円弧状の抱え片３、３によって形成される径を自由に変更可能であるため、適切な径でもって安全・確実に拘束対象者を拘束することが可能となる。
【００４１】
犯罪者等の拘束対象者を拘束する場合は、前記把持棒１の先端の一対の抱え片３、３を前記作動棒４を最進出状態に進出させて開いた上で該拘束対象者に向ける。このとき、前記仮固定手段６により該作動棒４の進退動作は不可能な状態になっている。より詳しく述べると、該作動棒４の最進出状態で、図２(a)に示すように、その仮固定穴４ａが前記把持棒１の導入穴１ａに内外一致した位置関係となり、前記進退操作部１４の握り棒１４ａの先端に配した全固定部１３ａが、前記バネ部材１６の作用により、該導入穴１ａ及び該仮固定穴４ａに嵌合状態となり、該作動棒４の該把持棒１に対する進退動作を不可能としている。
【００４２】
そのため、拘束対象者にこの刺股を向けた際に、該拘束対象者によって該作動棒４の先端が掴まれた場合であっても、予めこれを押し込まれ、両抱え片３、３の先端を閉じさせられたり、引っ張り出されてしまうような問題の生じる虞がない。
【００４３】
刺股のこの状態で素早く拘束対象者の胴部等を開いた一対の抱え片３、３の間に入れ、その中心の作動棒４の先端を押し付け、この瞬間に該仮固定手段６の進退操作部１４に於ける握り棒１４ａの後部側を握って、前記仮固定穴４ａから前記全固定部１３ａを離脱させ、該作動棒４の後退動作を許容する。こうして作動棒４が次の短寸仮固定穴４ｂまでの距離以上に後退した後、直ちに該握り棒１４ａの握り動作を止めれば、該全固定部１３ａの前面に構成した半固定部１３ｂの段差部１３ｂ１の最高位置が該作動棒４のいずれかの短寸仮固定穴４ｂ手前端に係止し、或いは該作動棒４のそれより前方の周側面に当接することとなる。
【００４４】
こうしてこの後は、該作動棒４は、図２(c)に示すように、いずれかの短寸仮固定穴４ｂに、前記固定部１３の半固定部１３ｂに構成した段差部１３ｂ１が係止することにより、その引き出しが防止され、その後退動作は、該半固定部１３ｂの傾斜面である摺動面１３ｂ２が前記短寸仮固定穴４ｂの外端側の縁を滑って通過することができるため、許容されることになる。
【００４５】
従って前記一対の抱え片３、３は、以上の後は、抱え締め付け方向にのみ動作が可能となる。また以上のように、前記複数箇所の短寸仮固定穴４ｂ、４ｂ…で作動棒４の進出方向の移動を防止するようになっているため、対応する開き状態（径）で該一対の抱え片３、３の抱え状態を固定することが可能であり、拘束対象者を適切な径で確実に抱え拘束することができることになる。
【図面の簡単な説明】
【００４６】
【図１】実施例の刺股の概略平面説明図。
【図２】(a)は作動棒が進退不可となっている状態の実施例の刺股の仮固定手段を示した断面部分図、(b)は作動棒の仮固定手段を構成する部位の断面部分図、(c)は作動棒が後退のみ可能となっている状態の実施例の刺股の仮固定手段を示した断面部分図。
【図３】(a)は保持棒の断面図、(b)は作動棒と保持棒、保持棒と作動片、及び作動片と抱え片との各結合状態を示した一部切欠断面図、(c)は作動片の断面図。
【図４】(a)は支持材の断面図、(b)は把持棒と支持材の結合関係、把持棒と作動棒の嵌合関係、及び支持材と抱え片との結合関係を示した一部切欠断面図、(c)は抱え片の断面図。
【符号の説明】
【００４７】
１    把持棒
１ａ  導入穴
２    支持材
３    抱え片
４    作動棒
４ａ  仮固定穴
４ｂ  短寸仮固定穴
５    作動片
６    仮固定手段
７、８、１０、１１、１２  ボルト・ナット
９    保持棒
１３  固定部材
１３ａ  全固定部
１３ｂ  半固定部
１３ｂ１  段差部
１３ｂ２  摺動面
１４  進退操作部
１４ａ  握り棒
１５  ブラケット
１６  バネ部材
１７、１８、１９  ビス
【図１】
0003118735.tif 000003
【図２】
0003118735.tif 000004
【図３】
0003118735.tif 000005
【図４】
0003118735.tif 000006